(57)【要約】【課題】平面らせん形蛍光ランプを装着する際に誤って落下するのを防止することができる照明器具を提供する。【解決手段】平面らせん形蛍光ランプ２０を器具本体３０に装着する際に、平面らせん形蛍光ランプ２０の発光管２１を補強する補強材２５に設けられている凸部４０を、器具本体３０に設けられている仮係止部３５に挿嵌して仮係止するので、万が一、平面らせん形蛍光ランプ２０から手が離れた場合でも、平面らせん形蛍光ランプ２０が落下するのを防止することができる。なお、補強材２５や凸部４０は、平面らせん形蛍光ランプ２０の照射方向とは反対側に設けられているので、照明の邪魔にならない。【選択図】図１
2009301999.tif 000002
【特許請求の範囲】
【請求項１】
平面らせん形状をした発光管を有する平面らせん形蛍光ランプと、前記平面らせん形蛍光ランプを駆動させる点灯装置と、前記平面らせん形蛍光ランプおよび前記点灯装置を保持する器具本体と、を備えた照明器具であって、
前記平面らせん形蛍光ランプは、照射方向と反対側面で前記発光管を補強する補強材と、前記補強材の前記発光管と反対側面から突出する凸部と、を有し、
前記器具本体は、前記凸部を仮係止する仮係止部を有することを特徴とする照明器具。
【請求項２】
前記凸部は、前記補強材に取付けられた支持柱と、この支持柱の先端に設けられ該支持柱から外側へ突出する頭部とを有し、かつ、前記補強材における前記平面らせん形蛍光ランプのらせん中心に対して対称位置に２個設けられ、
前記仮係止部は２個の前記凸部の中心点を中心として点対称に配置され、前記凸部の前記頭部が通過可能な挿入穴と、前記挿入穴に連続して設けられ、前記頭部は通過できないが前記支持柱は通過および回転可能な係止穴とを有することを特徴とする請求項１記載の照明器具。
【請求項３】
前記凸部は、前記補強材に取付けられた支持柱と、この支持柱の先端に設けられ該支持柱から外側へ突出する頭部とを有し、かつ、前記補強材における前記平面らせん形蛍光ランプのらせん中心に対応して１個設けられ、
前記仮係止部は、前記凸部の前記頭部が通過可能な挿入穴と、前記挿入穴に連続して設けられ、前記頭部は通過できないが前記支持柱は通過および回転可能な係止穴とを有し、
前記係止穴が前記らせん中心の近傍に位置することを特徴とする請求項１記載の照明器具。
【請求項４】
前記凸部は、前記補強材に取付けられた支持柱を有し、かつ、複数個設けられ、
前記仮係止部は、前記支持柱の断面寸法よりも若干小さな丸穴であって、前記補強材における前記らせん中心を中心として回転可能に設けられている回転板に、前記複数個の凸部と同じ配置で設けられたことを特徴とする請求項１記載の照明器具。
【請求項５】
前記凸部は、前記補強材に取付けられた円柱状の支持柱を有し、かつ、前記補強材における前記平面らせん形蛍光ランプのらせん中心に対応して１個設けられ、
前記仮係止部は、前記支持柱の断面寸法よりも若干小さな丸穴であって、前記らせん中心の近傍に位置することを特徴とする請求項１記載の照明器具。
【発明の詳細な説明】
【技術分野】
【０００１】
本発明は、平面らせん形蛍光ランプを用いる照明器具に関するものである。
【背景技術】
【０００２】
従来より、平面らせん形蛍光ランプを用いる照明器具が知られている。（例えば特許文献１参照）。
特許文献１に記載の照明器具に用いられる平面らせん形蛍光ランプは、一連の屈曲ガラス管からなる放電路が、管中央部を中心として略一平面上で渦巻状に旋回された二重渦巻き形状を有している。そして、略対向して離れた両端部間には、発光管を補強するブリッジが設けられており、ブリッジの中央に口金が設けられている。従って、装着時には、口金の裏側に設けられている保持取手を持って器具本体に装着する。
【特許文献１】特開２００７−２７３３３５号公報（第２図）
【発明の開示】
【発明が解決しようとする課題】
【０００３】
ところで、平面らせん形蛍光ランプには、両端部に口金を有し、蛍光ランプを回転させることにより、口金に設けられているランプピンをソケットに差し込んで装着するものがある。
このようなタイプの平面らせん形蛍光ランプにおいては、蛍光ランプを所定位置に配置し、その後回転させるため、回転する際に、万が一手が滑ったりすると、蛍光ランプが落下するおそれがあるという問題があった。
【０００４】
本発明は、従来の問題を解決するためになされたもので、平面らせん形蛍光ランプを装着する際に誤って落下するのを防止することができる照明器具を提供することを目的とする。
【課題を解決するための手段】
【０００５】
本発明の照明器具は、平面らせん形状をした発光管を有する平面らせん形蛍光ランプと、前記平面らせん形蛍光ランプを駆動させる点灯装置と、前記平面らせん形蛍光ランプおよび前記点灯装置を保持する器具本体と、を備えた照明器具であって、前記平面らせん形蛍光ランプは、照射方向と反対側面で前記発光管を補強する補強材と、前記補強材の前記発光管と反対側面から突出する凸部と、を有し、前記器具本体は、前記凸部を仮係止する仮係止部を有する構成を有している。
【０００６】
この構成により、平面らせん形蛍光ランプを器具本体に装着する際に、平面らせん形蛍光ランプの発光管を補強する補強材に設けられている凸部を、器具本体に設けられている仮係止部に挿嵌して仮係止するので、万が一、平面らせん形蛍光ランプから手が離れた場合でも、平面らせん形蛍光ランプが落下するのを防止することができる。また、位置決めを容易に行うことができるので、平面らせん形蛍光ランプの装着が容易になる。なお、補強材や凸部は、平面らせん形蛍光ランプの照射方向とは反対側に設けられているので、照明の邪魔にならない。
【０００７】
また、本発明の照明器具は、前記凸部は、前記補強材に取付けられた支持柱と、この支持柱の先端に設けられ該支持柱から外側へ突出する頭部とを有し、かつ、前記補強材における前記平面らせん形蛍光ランプのらせん中心に対して対称位置に２個設けられ、前記仮係止部は２個の前記凸部の中心点を中心として点対称に配置され、前記凸部の前記頭部が通過可能な挿入穴と、前記挿入穴に連続して設けられ、前記頭部は通過できないが前記支持柱は通過および回転可能な係止穴とを有する構成を有している。
【０００８】
この構成により、平面らせん形蛍光ランプを器具本体に仮係止する際に、２個の凸部の頭部を、器具本体に設けられている挿入穴に各々挿入した後に、凸部の支持柱を、頭部が通過できない大きさの係止穴に沿って移動させることにより、平面らせん形蛍光ランプを回転させて装着する。このため、万が一、装着完了前に平面らせん形蛍光ランプから手が離れた場合でも、頭部が係止穴に引っかかるため、平面らせん形蛍光ランプが落下するのを防止することができる。
【０００９】
また、本発明の照明器具は、前記凸部は、前記補強材に取付けられた支持柱と、この支持柱の先端に設けられ該支持柱から外側へ突出する頭部とを有し、かつ、前記補強材における前記平面らせん形蛍光ランプのらせん中心に対応して１個設けられ、前記仮係止部は、前記凸部の前記頭部が通過可能な挿入穴と、前記挿入穴に連続して設けられ、前記頭部は通過できないが前記支持柱は通過および回転可能な係止穴とを有し、前記係止穴が前記らせん中心の近傍に位置する構成を有している。
【００１０】
この構成により、平面らせん形蛍光ランプのらせん中心付近に設けられている凸部の頭部を、器具本体における平面らせん形蛍光灯の装着位置の中心から若干ずれた位置に設けられている挿入穴に挿入した後に、凸部の支持柱を、頭部が通過できない大きさの係止穴に沿って装着位置の中心位置に移動させて仮係止してから、平面らせん形蛍光ランプを回転させて装着する。このため、万が一、装着完了前に平面らせん形蛍光ランプから手が離れた場合でも、頭部が係止穴に引っかかるため、平面らせん形蛍光ランプが落下するのを防止することができる。
【００１１】
また、本発明の照明器具は、前記凸部は、前記補強材に取付けられた支持柱を有し、かつ、複数個設けられ、前記仮係止部は、前記支持柱の断面寸法よりも若干小さな丸穴であって、前記補強材における前記らせん中心を中心として回転可能に設けられている回転板に、前記複数個の凸部と同じ配置で設けられた構成を有している。
【００１２】
この構成により、平面らせん形蛍光ランプの補強材に取付けられている支持柱を、この支持柱の断面寸法よりも若干小さな断面寸法で器具本体に設けられている回転板の丸穴に押し込むことにより、平面らせん形蛍光ランプは回転板に仮係止されるので、回転板を回転させることにより、平面らせん形蛍光ランプの落下を防止しつつ、容易に装着することができる。
【００１３】
さらに、本発明の照明器具は、前記凸部は、前記補強材に取付けられた円柱状の支持柱を有し、かつ、前記補強材における前記平面らせん形蛍光ランプのらせん中心に対応して１個設けられ、前記仮係止部は、前記支持柱の断面寸法よりも若干小さな丸穴であって、前記らせん中心の近傍に位置する構成を有している。
【００１４】
この構成により、平面らせん形蛍光ランプの補強材から突出して設けられている１個の凸部の支持柱を、らせん中心に対応して器具本体に設けられ支持柱の断面よりも小さな丸穴に挿嵌して仮係止した後に、平面らせん形蛍光ランプを回転させて装着する。このため、万が一、装着完了前に平面らせん形蛍光ランプから手が離れた場合でも、支持柱が器具本体の丸穴に引っかかるため、平面らせん形蛍光ランプが落下するのを防止することができる。
【発明の効果】
【００１５】
本発明は、平面らせん形蛍光ランプを器具本体に装着する際に、平面らせん形蛍光ランプの発光管を補強する補強材に設けられている凸部を、器具本体に設けられている仮係止部に挿嵌して仮係止するので、万が一、平面らせん形蛍光ランプから手が離れた場合でも、平面らせん形蛍光ランプが落下するのを防止することができる。また、平面らせん形蛍光ランプの位置決めを容易に行うことができるので、平面らせん形蛍光ランプの装着が容易になる。また、補強材や凸部は、平面らせん形蛍光ランプの照射方向とは反対側に設けられているので、照明の邪魔にならないという効果を有する照明器具を提供することができるものである。
【発明を実施するための最良の形態】
【００１６】
以下、本発明の実施の形態の照明器具について、図面を用いて説明する。
図１は本発明の第１の実施の形態にかかる照明器具を示す断面図、図２（Ａ）は平面らせん形蛍光ランプを図１中上側から見た平面図、図２（Ｂ）は（Ａ）中Ｂ−Ｂ位置の断面図、図３は器具本体を下方から見た底面図である。
【００１７】
図１に示すように、本発明の第１実施形態にかかる照明器具１０は、例えば、被取付部である天井１１に取付けて使用することができ、平面らせん形状をした発光管２１を有する平面らせん形蛍光ランプ２０と、平面らせん形蛍光ランプ２０を駆動させる点灯装置３１と、平面らせん形蛍光ランプ２０および点灯装置３１を保持する器具本体３０と、を備えている。
【００１８】
図２に示すように、平面らせん形蛍光ランプ２０は、１本の発光管２１が、管中央部を中心として略一平面上で渦巻状に旋回された二重渦巻き形状を有している。発光管２１の略対向して離れた位置にある両端部２２ａ、２２ｂには、各々口金２３が設けられ、各口金２３からは、発光管２１の接線方向へ突出して１対のランプピン２４、２４が設けられている。また、平面らせん形蛍光ランプ２０の照射方向と反対側面には、両端部２２ａ、２２ｂ間を連結し、発光管２１を補強するための補強材２５が設けられており、補強材２５の発光管２１と反対側面（図２（Ｂ）において上面）には、凸部４０が突出して設けられている。図２に示すように、凸部４０は、補強材２５に取付けられた支持柱４１と、この支持柱４１の先端に設けられ支持柱４１から外側へ突出する頭部４２とを有している。
【００１９】
一方、図１および図３に示すように、器具本体３０は、天井１１に取付けられるベースプレート３２を有しており、ベースプレート３２の図１中下面には、点灯装置３１を内包する取付台３３が取付けられている。取付台３３の取付面３３ａには、平面らせん形蛍光ランプ２０のランプピン２４を装着して電源を供給するための１対のソケット３４、３４が、装着される平面らせん形蛍光ランプ２０のらせん中心ＣＰに対して対称位置に設けられている。平面らせん形蛍光ランプ２０は、図３中矢印Ａ方向に回転させることにより、ランプピン２４をソケット３４に挿入される。
【００２０】
図３に示すように、取付面３３ａには、平面らせん形蛍光ランプ２０に設けられている凸部４０を仮係止する仮係止部３５が設けられている。仮係止部３５は、らせん中心ＣＰに対して点対称位置に一対設けられており、平面らせん形蛍光ランプ２０をソケット３４に取付ける前の状態における凸部４０に対応する位置に設けられている。仮係止部３５は、凸部４０の頭部４２が通過可能な円形の挿入穴３５ａと、挿入穴３５ａから平面らせん形蛍光灯２０の取付回転方向（矢印Ａ）に連続して設けられ、頭部４２は通過できないが支持柱４１は通過および回転可能な係止穴３５ｂとから構成されている。
【００２１】
また、図１に示すように、器具本体３０には、取付台３３および平面らせん形蛍光ランプ２０を内包し、透明または半透明の樹脂製の透過カバー５０が着脱可能に取付けられている。
【００２２】
従って、平面らせん形蛍光ランプ２０を器具本体３０に装着する際には、透過カバー５０を器具本体３０から取り外し、平面らせん形蛍光ランプ２０を取付前の位置（図３中２点鎖線で示す位置）に位置決めする。次いで、平面らせん形蛍光ランプ２０の凸部４０の頭部４２を、器具本体３０に設けられている仮係止部３５の挿入穴３５ａに挿入し、平面らせん形蛍光ランプ２０を取付方向へ回転させて、凸部４０を係止穴３５ｂに沿って移動させる。これにより、平面らせん形蛍光ランプ２０は器具本体３０に係止されることになる。その後、さらに平面らせん形蛍光ランプ２０を回転させて、ランプピン２４をソケット３４に挿入し、透過カバー５０を器具本体３０に取付ける。
【００２３】
以上、説明した第１実施形態にかかる照明器具１０によれば、平面らせん形蛍光ランプ２０を器具本体３０に装着する際に、平面らせん形蛍光ランプ２０の発光管２１を補強する補強材２５に設けられている凸部４０を、器具本体３０に設けられている仮係止部３５に挿嵌して仮係止するので、万が一、平面らせん形蛍光ランプ２０から手が離れた場合でも、平面らせん形蛍光ランプ２０が落下するのを防止することができる。また、平面らせん形蛍光ランプ２０の位置決めを容易に行うことができるので、平面らせん形蛍光ランプ２０の装着が容易になる。なお、補強材２５や凸部４０は、平面らせん形蛍光ランプ２０の照射方向とは反対側に設けられているので、照明の邪魔にならない。
【００２４】
また、２個の凸部４０の頭部４２を、器具本体３０に設けられている挿入穴３５ａに各々挿入した後に、凸部４０の支持柱４１を、頭部４２が通過できない大きさの係止穴３５ｂに沿って移動させることにより、平面らせん形蛍光ランプ２０を回転させて装着する。このため、万が一、装着完了前に平面らせん形蛍光ランプ２０から手が離れた場合でも、頭部４２が係止穴４２ｂに引っかかるため、平面らせん形蛍光ランプ２０が落下するのを防止することができる。
なお、係止穴３５ｂは、螺旋中心ＣＰを中心とした円状に形成するのが望ましい。そして、少なくとも、平面らせん形蛍光ランプ２０のランプピン２４がソケット３４に挿入されるまで回転できるように、係止穴３５ｂの長さを設定する。
【００２５】
次に、本発明の第２実施形態にかかる照明器具を、図面に基づいて説明する。
図４は本発明の第２の実施の形態にかかる照明器具を示す断面図、図５（Ａ）は平面らせん形蛍光ランプを図４中上側から見た平面図、図５（Ｂ）は（Ａ）中Ｂ−Ｂ位置の断面図、図６は器具本体を下方から見た底面図である。なお、前述した第１実施形態にかかる照明器具と共通する部位には同じ符号を付して、重複する説明を省略することとする。
【００２６】
図４および図５に示すように、本発明の第２実施形態にかかる照明器具１０Ｂでは、支持柱４１および頭部４２で構成される凸部４０Ｂを、平面らせん形蛍光ランプ２０Ｂの補強材２５におけるらせん中心ＣＰに対応する位置（すなわち補強材２５の中心）に１個設けた。
【００２７】
一方、器具本体３０Ｂでは、取付台３３の中央部に仮係止部３５を１個設けた。仮係止部３５は、挿入穴３５ａと係止穴３５ｂとから構成されており、係止穴３５ｂが取付台３３の中心、すなわち、装着時に平面らせん形蛍光ランプ２０を回転させる中心であるらせん中心ＣＰに位置するようにする。
【００２８】
従って、平面らせん形蛍光ランプ２０Ｂを器具本体３０Ｂに装着する際には、透過カバー５０を器具本体３０Ｂから取り外し、平面らせん形蛍光ランプ２０Ｂをらせん中心ＣＰが挿入穴３５ａの位置にくるように位置決めする。次いで、平面らせん形蛍光ランプ２０Ｂの凸部４０の頭部４２を、器具本体３０Ｂに設けられている仮係止部３５の挿入穴３５ａに挿入し、平面らせん形蛍光ランプ２０を係止穴３５ｂに沿って移動させる（図６中２点鎖線で示す位置）。これにより、平面らせん形蛍光ランプ２０Ｂは器具本体３０Ｂに係止されることになる。その後、さらに平面らせん形蛍光ランプ２０Ｂを取付方向（矢印Ａ方向）へ回転させて、ランプピン２４をソケット３４に挿入し、透過カバー５０を器具本体３０に取付ける。
【００２９】
以上、説明した第２実施形態にかかる照明器具１０Ｂによれば、前述した第１実施形態にかかる照明器具１０と同様の作用効果を得ることができ、装着時に、平面らせん形蛍光ランプ２０Ｂが落下するのを防止することができる。
【００３０】
次に、本発明の第３実施形態にかかる照明器具を、図面に基づいて説明する。
図７は本発明の第３の実施の形態にかかる照明器具を示す断面図、図８（Ａ）は平面らせん形蛍光ランプを図７中上側から見た平面図、図８（Ｂ）は（Ａ）中Ｂ−Ｂ位置の断面図、図９は器具本体を下方から見た底面図である。なお、前述した第１または第２実施形態にかかる照明器具と共通する部位には同じ符号を付して、重複する説明を省略することとする。
【００３１】
図７および図８に示すように、本発明の第３実施形態にかかる照明器具１０Ｃでは、支持柱４１のみで構成される凸部４０Ｃを、平面らせん形蛍光ランプ２０Ｃの補強材２５に複数個（ここでは２個）設けた。なお、支持柱４１は、若干の弾性変形が可能な弾性部材により形成するのが望ましい。
【００３２】
一方、器具本体３０Ｃでは、取付台３３の中央部に設けられた回転軸３６を中心として回転可能な回転板３７を設け、この回転板３７の所定位置に複数個（ここでは２個）の仮係止部３５Ｃを設けた。仮係止部３５Ｃは、凸部４０Ｃを構成する支持柱４１の断面寸法よりも若干小さめの寸法を有する丸穴３５ｃで構成されており、平面らせん形蛍光ランプ２０Ｃの補強材２５に設けられている凸部４０Ｃの配置に対応して配置されている。
【００３３】
従って、平面らせん形蛍光ランプ２０Ｃを器具本体３０Ｃに装着する際には、透過カバー５０を器具本体３０Ｃから取り外し、平面らせん形蛍光ランプ２０Ｃの支持柱４１（凸部４０Ｃ）を回転板３７の丸穴３５ｃ（仮係止部３５）に挿入して仮止めする。次いで、回転板３７とともに平面らせん形蛍光ランプ２０Ｃを取付方向（矢印Ａ方向）へ回転させて、ランプピン２４をソケット３４に挿入し、透過カバー５０を器具本体３０に取付ける。
【００３４】
以上、説明した第３実施形態にかかる照明器具１０Ｃによれば、前述した第１実施形態にかかる照明器具１０と同様の作用効果を得ることができ、装着時に、平面らせん形蛍光ランプ２０Ｃが落下するのを防止することができる。
【００３５】
なお、図示はしないが、前述したように、凸部４０Ｃとして円柱状の支持柱４１を補強材２５におけるらせん中心ＣＰに１個設け、器具本体３０Ｃに回転軸３６および回転板３７を設けずに、回転軸３６の位置に丸穴３５ｃを設けるようにすることもできる。
この場合、平面らせん形蛍光灯２０Ｃを器具本体３０Ｃに装着する際には、凸部４０Ｃを丸穴３５ｃに挿入し、凸部４０Ｃを中心として平面らせん形蛍光ランプ２０Ｃを回転させることにより、ランプピン２４をソケット３４に挿入する。
【００３６】
なお、本発明の照明器具は、前述した各実施形態に限定されるものでなく、適宜な変形，改良等が可能である。
【図面の簡単な説明】
【００３７】
【図１】本発明の第１の実施の形態にかかる照明器具を示す断面図
【図２】（Ａ）は平面らせん形蛍光ランプを図１中上側から見た平面図、（Ｂ）は（Ａ）中Ｂ−Ｂ位置の断面図
【図３】器具本体を下方から見た底面図
【図４】発明の第２の実施の形態にかかる照明器具を示す断面図
【図５】（Ａ）は平面らせん形蛍光ランプを図４中上側から見た平面図、（Ｂ）は（Ａ）中Ｂ−Ｂ位置の断面図
【図６】器具本体を下方から見た底面図
【図７】本発明の第３の実施の形態にかかる照明器具を示す断面図
【図８】（Ａ）は平面らせん形蛍光ランプを図７中上側から見た平面図、（Ｂ）は（Ａ）中Ｂ−Ｂ位置の断面図
【図９】器具本体を下方から見た底面図
【符号の説明】
【００３８】
１０  照明器具
２０  平面らせん形蛍光ランプ
２１  発光管
２５  補強材
３０  器具本体
３１  点灯装置
３５  仮係止部
３５ａ  挿入穴
３５ｂ  係止穴
３５ｃ  丸穴
４０  凸部
４１  支持柱
４２  頭部
ＣＰ  らせん中心
【図１】
2009301999.tif 000003
【図２】
2009301999.tif 000004
【図３】
2009301999.tif 000005
【図４】
2009301999.tif 000006
【図５】
2009301999.tif 000007
【図６】
2009301999.tif 000008
【図７】
2009301999.tif 000009
【図８】
2009301999.tif 000010
【図９】
2009301999.tif 000011